(57)【要約】【課題】プレワインド時にフイルム終端を適切に検出する。【解決手段】給送検出スイッチ４１は、フイルム給送時におけるスプロケットの回転によってオン・オフされる金属接片から構成される。給送検出回路４５には、給送検出スイッチ４１の状態に応じた給送信号が入力される。監視パルス出力回路４６は、出力間隔の異なる２種類の監視パルスを出力する。給送検出回路４５は、監視パルスに基づいて給送信号のレベル判定を行い、信号レベルの変化を検知して給送パルスを検出する。プレワインド時は、３０ミリ秒間隔で監視パルスが出力され、プレワインド後の１コマ給送時には２ミリ秒間隔で監視パルスが出力される。プレワインド時には振動による給送検出スイッチ４１の誤動作が検出されにくくなり、プレワインド終了後は精度よく１コマ給送が行われる。【選択図】        図５
2004302003.tif 000002
【特許請求の範囲】
【請求項１】
フイルムのパーフォレーションに係合し、フイルム給送に伴って従動回転されるスプロケットと、
スプロケットの従動回転に連動してオン・オフ動作を行うスイッチ接片と、
前記スイッチ接片の動作によって給送パルスを出力するパルス出力手段と、
パトローネから引き出す方向にフイルム給送を行う第１の給送手段と、
パトローネ内へ巻戻す方向にフイルム給送を行う第２の給送手段と、
前記第１の給送手段の作動時に、第１の監視時間ごとに前記給送パルスの検出を行う第１のパルス検出手段と、
前記第２の給送手段の作動時に、第２の監視時間ごとに前記給送パルスの検出を行う第２のパルス検出手段とを備え、
前記第１の監視時間は、前記第２の監視時間よりも長く設定され、
前記第１の給送手段は、前記第１のパルス検出手段によって所定の制限時間内に前記給送パルスが検出されなかったときに、フイルム給送を停止することを特徴とするカメラ。
【請求項２】
前記第１の給送手段は、パトローネの装填後に作動して、パトローネから全てのフイルムを引き出す処理を行い、前記第２の給送手段は、全てのフイルムが引き出された後、撮影ごとのコマ送り処理と、撮影終了後に全てのフイルムをパトローネ内に巻戻す処理とを行うことを特徴とする請求項１記載のカメラ。
【発明の詳細な説明】
【０００１】
【発明の属する技術分野】
本発明は、モータを用いてフイルム給送を行う際に、パトローネから引き出されたフイルムの終端を検知するカメラに関するものである。
【０００２】
【従来の技術】
フイルム給送に従動して回転するスプロケットにパルス出力器を連結し、スプロケットの回転によって出力されるパルス信号に基づいて、モータによるフイルム給送を監視するカメラが知られている（例えば、特許文献１参照）。このカメラにはスプロケットと一体に回転するスイッチ接片と、スイッチ接片が接触する導体パターンが設けられ、スプロケットが１回転する間にオン・オフのパルス信号が出力される。モータの駆動中にパルス信号が検出されるとフイルム給送が正常に行われていると判断され、パルス信号が検出されなくなるとフイルムが終端に達したと判断される。
【０００３】
スイッチ接片を用いてフイルム給送の状態を検出するカメラは、パーフォレーションの有無やスプロケットの回転を光学的に検出するカメラに比べて、製造コストが安く済む利点がある。一方、スプロケットの回転が停止した際にスイッチ接片がオンとオフの境界付近に位置していると、フイルム給送が完了しているにも関わらず、その検知ができずにモータの停止制御が適切に行えなくなる欠点がある。これは、カメラに加わる振動でスプロケットが揺れ動き、スイッチ接片が小刻みにオン・オフ動作を行ってしまうことが原因である。そこで、特許文献１記載のカメラでは、パルス信号の出力間隔とフイルムコマのカウント数の２つの値を参照することで巻戻し完了を確実に検知できるようにしている。
【０００４】
【特許文献１】
特開平７−３６０８８号公報
【０００５】
【発明が解決しようとする課題】
しかしながら、上記特許文献１記載のカメラは、パトローネ内に巻戻す方向のフイルム給送を行う場合にフイルム終端を適切に検知することができるが、パトローネから引き出す方向にフイルム給送を行う場合にはフイルム終端が適切に検知できないという問題がある。すなわち、パトローネからフイルムを全て引き出すときには、フイルムの実際の長さがわからなければフイルムコマをカウントしてもフイルム終端を検知することができない。よって、上述したように、スイッチ接片がオンとオフの中間に位置している場合に、モータの停止制御が適切に行えなくなる。特に、フイルム終端に達したときには、カメラ側のスプールとパトローネ側の巻芯との間でフイルムが突っ張られるため、このときに生じる振動によってスイッチ接片が誤動作しやすくなる。
【０００６】
本発明は、上記問題点を考慮してなされたもので、パトローネから引き出す方向にフイルム給送を行う場合のフイルム終端を適切に検知できるようにしたカメラを提供することを目的とする。
【０００７】
【課題を解決するための手段】
上記目的を達成するために、本発明のカメラは、スプロケットの従動回転に連動してオン・オフ動作を行うスイッチ接片と、前記スイッチ接片の動作によって給送パルスを出力するパルス出力手段と、パトローネから引き出す方向にフイルム給送を行う第１の給送手段と、パトローネ内へ巻戻す方向にフイルム給送を行う第２の給送手段と、前記第１の給送手段の作動時に、第１の監視時間ごとに前記給送パルスの検出を行う第１のパルス検出手段と、前記第２の給送手段の作動時に、第２の監視時間ごとに前記給送パルスの検出を行う第２のパルス検出手段とを備えたものであり、前記第１の監視時間を前記第２の監視時間よりも長く設定し、前記第１のパルス検出手段が、前記第１の監視時間よりも長く設定された制限時間内に前記給送パルスが検出されなかったときにフイルム給送を停止してフイルム終端に達したことを検知するものである。
【０００８】
請求項２記載のカメラは、パトローネの装填後に作動して、パトローネから全てのフイルムを引き出す処理を行う第１の給送手段と、全てのフイルムが引き出された後、撮影ごとのコマ送り処理と撮影終了後に全てのフイルムをパトローネ内に巻戻す処理とを行う第２の給送手段とを備えたもので、プレワインド方式のカメラに好適なものとなっている。
【０００９】
【発明の実施の形態】
図１において、カメラ２は、その輪郭が曲線状に形成されている。前面には撮影レンズ３が露呈されており、ファインダ４、バリアスイッチ５、フラッシュスイッチ６が設けられている。フラッシュ発光部７は、ファインダ４に隣接して設けられている。カメラ２の上面には、シャッタボタン８と撮影回数が表示されるカウンタ表示窓９が設けられている。
【００１０】
図２において、カメラ２の内部に巻取りスプール１２が設けられている。巻取りスプール１２には、パトローネ１３から引き出された写真フイルム１４の一端が引っ掛けられ、パトローネ１３の巻芯１５に写真フイルム１４の他端が係止されている。巻取りスプール１２の内部には給送モータ１６が組み込まれる。給送モータ１６は、カメラ上部に設けられた給送ギア列１７によって駆動力が伝達され、フイルム装填時には巻取りスプール１２を駆動させてプレワインド処理を行うとともに、撮影時には巻芯１５を駆動させてコマ送り処理を行う。スプロケット１８は、写真フイルム１４に形成されたパーフォレーション１９に係合し、フイルム給送に従動して回転する。カウンタ円板２０は、その表面にカウンタ表示窓９から撮影回数を表示するための目盛りが円形に付されている。
【００１１】
給送ギア列１７には、給送モータ１６の駆動軸に直結された同軸ギア２２と、スパーギア２３，２４が設けられている。スパーギア２４には、太陽ギア２５が噛合しており、太陽ギア２５はクラッチアーム２６が取り付けられた遊星ギア２７に噛合している。遊星ギア２７は、太陽ギア２５の回転方向に応じて揺動する。図３（ａ）に示すように、太陽ギア２５が図中右回りに回転したとき、遊星ギア２７は右方向に揺動し、巻取りスプール１２の上端部に設けられたスプールギア２８に噛合して巻取りスプール１２を回転させる。
【００１２】
太陽ギア２５が図中左回りに回転したとき、遊星ギア２７は左方向に揺動し、スパーギア２９に噛合する（図３（ｂ）参照）。スパーギア２９に伝達された駆動力は、スパーギア３０〜３２に伝達される。スパーギア３２の同軸上には、シャッタ駆動レバー３３、十字ギア３４、チャージバネ３５が取り付けられる。スパーギア３２に伝達された駆動力は、十字ギア３４を介して巻戻しギア３７に伝達される。巻戻しギア３７には、巻芯１５に係合するフォーク３６が形成されている。
【００１３】
シャッタ駆動レバー３３には、チャージバネ３５の一端が掛けられる第１アーム３３ａと、チャージバネ３５の付勢力によってシャッタ羽根３８を蹴飛ばす第２アーム３３ｂと、チャージカム３９に接触する第３アーム３３ｃが設けられている。なお、チャージバネ３５の他端はカメラ側に固定される。
【００１４】
図４において、チャージカム３９には、シャッタ駆動レバー３３の第３アーム３３ｃに接触するカムレバー３９ａが設けられている。カムレバー３９ａは、チャージカム３９の回転によってシャッタ駆動レバー３３をシャッタチャージ位置にセットする。チャージカム３９には連動カム４０が差し込まれる。連動カム４０の下端はスプロケット１８に係合し、連動カム４０はスプロケット１８に連動して回転する。連動カム４０には、作用部４０ａと弾性爪４０ｂとが形成されている。作用部４０ａは、連動カム４０の軸からほぼ扇形に突出した形状を有し、連動カム４０が１回転するごとに給送検出スイッチ４１を押圧する。弾性爪４０ｂはチャージカム３９に設けられたラチェット歯３９ｂに係合する。
【００１５】
給送検出スイッチ４１は一対の金属接片４１ａ，４１ｂを備え、一方の金属接片４１ａの先端には、連動カム４０の回転時に作用部４０ａの押圧を受ける受け部材４２が取り付けられている。受け部材４２には、連動カム４０の作用部４０ａが滑りながら接触するカム面４２ａと、カウンタ円板２０によって金属接片４１ａを固定するためのロック片４２ｂが形成されている。カム面４２ａは、連動カム４０が右回りと左回りのどちらに回転した場合でも作用部４０ａの押圧を受けられるように形成されている。カム面４２ａが作用部４０ａの押圧を受けると、金属接片４１ａが弾性変形して一対の金属接片４１ａ，４１ｂが互いに接触する。ロック片４２ｂは、カウンタ円板２０の裏面に形成されたロック溝２０ａに係合する。ロック溝２０ａは、カウンタ円板２０がカウンタ表示窓９から残りの撮影回数ゼロを表示する位置にあるとき、ロック片４２ｂに係合して金属接片４１ａの変形を妨害する。
【００１６】
連動カム４０の先端には歩進溝４０ｃが形成されている。カウンタ円板２０の周縁には、その表面に付された目盛りに対応して、多数のカウンタ歯（図示なし）形成されている。歩進溝４０ｃには、１本のカウンタ歯が入り込むようになっており、連動カム４０が１回転したときにカウンタ円板２０が目盛り１つ分だけ回転される。カウンタ円板２０は、連動カム４０によってフイルム給送時に駆動される。カウンタ円板２０は、プレワインド時にはカウンタ表示窓９に撮影回数を順算表示し、撮影後の１コマ送り時には撮影回数を逆算表示する。
【００１７】
チャージカム３９に形成されたラチェット歯３９ｂは、パトローネ１３内に巻戻される方向に写真フイルム１４が給送されたときに、連動カム４０の弾性爪４０ｂと噛み合う。また、写真フイルム１４がパトローネ１３から引き出される方向に給送されるときには、弾性爪４０ｂがラチェット歯３９ｂをスリップする。すなわち、撮影ごとに行われる１コマ送り時には、連動カム４０の回転がチャージカム３９に伝達されるが、プレワインド時のフイルム給送では、連動カム４０が回転してもチャージカム３９は回転しない。
【００１８】
図５において、給送信号出力回路４４は、給送検出スイッチの４１のオン・オフ動作によって、Ｈレベル、Ｌレベルの給送信号を出力する。給送検出回路４５は、監視パルス出力回路４６から入力される監視パルスに基づいて給送信号を監視し、給送信号がＨレベルかＬレベルかを判定する。また、給送検出回路４５は、給送信号のレベル変化を給送パルスとして検出して給送検出信号を出力する。給送検出信号は、給送パルスカウント回路４７、制御部４９にそれぞれ入力される。監視パルス出力回路４６は、制御部４９からの制御信号に応じて出力間隔の異なる２種類の監視パルスを出力する。２種類の監視パルスは、３０ミリ秒間隔で出力されるプレワインド監視用のパルスと、２ミリ秒間隔で出力されるコマ送り監視用のパルスとからなる。給送パルスカウント回路４７は、給送検出信号をカウントし、プレワインド終了後の撮影準備動作などに用いられる参照値を制御部４９に出力する。
【００１９】
制御部４９は、カメラ２の電気的な動作の流れを管理するもので、各回路の作動や停止の制御を所定のシーケンスに従って実行する。タイマー回路５０は、プレワインド終了や、使い終わったフイルムをパトローネ１３内に全て巻戻すリワインド処理の終了を判断する基準となる制限時間をカウントする。チャージ検出スイッチ５２は、チャージカム３９により、シャッタ駆動レバー３３がシャッタチャージ位置にセットされたときにオフ、シャッタレリーズによってチャージ解除位置に移動したときにオンすることでチャージ状態を検出し、コマ送り処理の開始を知らせるタイミング信号を出力する。
【００２０】
モータドライバ５３は、制御部４９から出力されるモータ制御信号に基づいて給送モータ１６の正転駆動、逆転駆動、減速駆動、駆動停止を管理する。なお、給送モータ１６は、正転駆動したときに写真フイルム１４がパトローネ１３内に巻戻され、逆転駆動したときには写真フイルム１４がパトローネ１３から引き出される。
【００２１】
次にカメラ２の動作の流れについて図６を参照して説明する。カメラ２にパトローネ１３を装填し、写真フイルム１４の先端を巻取りスプール１２に届く長さまで引き出すと、裏蓋（図示なし）を閉じたときにフイルム先端が巻取りスプール１２に自動的に巻き込まれ、そのままプレワインド処理が開始される。このとき、給送モータ１６は逆転駆動され、遊星ギア２７がスプールギア２８と噛み合って、巻取りスプール１２が駆動される。
【００２２】
巻取りスプール１２が駆動されることによってパトローネ１３から写真フイルム１４が引き出され、パーフォレーション１９に係合したスプロケット１８は、フイルム給送に伴って従動回転する。スプロケット１８の従動回転によって連動カム４０が回転し、連動カム４０によってカウンタ円板２０が回転駆動され、カウンタ表示窓９から表示される目盛りの数字がカウントアップされていく。また、連動カム４０の回転によって給送検出スイッチ４１が断続的にオンされる。このとき、チャージカム３９は回転されない。
【００２３】
給送検出スイッチ４１のオン・オフ動作により、給送信号出力回路４４からレベル変動する給送信号が出力される。制御部４９は監視パルス出力回路４６を作動させ、監視パルス出力回路４６は給送検出回路４５に３０ミリ秒間隔で監視パルスを入力する。給送検出回路４５は、入力された監視パルスに基づいて給送信号のレベル判定を行うとともに、給送信号のレベル変化から給送パルスを検出する。給送パルスが検出されている間、給送モータ１６は駆動され続ける。
【００２４】
やがて、パトローネ１３から写真フイルム１４が全て引き出されると、巻取りスプール１２と巻芯１５との間で写真フイルム１４が突っ張り、フイルム給送が行われなくなる。スプロケット１８と連動カム４０の回転は停止され、給送検出スイッチ４１が連動カム４０の停止位置に応じてオン又はオフのいずれかの状態に保たれる。給送信号出力回路４４からは、レベルの一定な給送信号のみが出力されるようになる。給送検出回路４５において所定の監視回数だけ給送信号のレベル変化が検知されないと、制御部４９はタイマー作動信号を出力し、タイマー回路５０が１．５秒間のタイムカウントを開始する。
【００２５】
タイマー回路５０のカウント値が１．５秒に達する前に給送パルスが検出された場合、給送検出回路４５から制御部４９にタイマーリセット信号が入力され、制御部４９はタイマー回路５０のカウント値をリセットさせる。一方、給送パルスが検出されないままタイマー回路５０のカウント値が１．５秒に達すると、制御部４９はモータドライバ５３に正転駆動信号を送り、給送モータ１６が逆転駆動から正転駆動に切り替えられてファーストフレームセットが行われる。
【００２６】
給送モータ１６が正転駆動すると遊星ギア２７はスパーギア２９に噛み合い、巻戻しフォーク３６が駆動される。写真フイルム１４は、パトローネ１３内に巻戻される方向に給送される。制御部４９は、給送パルスカウント回路４７を作動させ、給送パルスのカウントが開始される。フイルム給送によってスプロケット１８と連動カム４０がプレワインド時とは反対方向に回転する。連動カム４０の回転によってチャージカム３９が回転し、シャッタ駆動レバー３３がシャッタチャージ位置にセットされる。
【００２７】
連動カム４０の回転によって給送検出スイッチ４１がオン・オフ動作を行い、給送信号出力回路４４から信号レベルが変化する給送信号が出力される。制御部４９は監視パルス出力回路４６を作動させ、給送検出回路４５に２ミリ秒間隔で監視パルスを出力させる。給送検出回路４５は、入力された監視パルスに基づいて給送信号のレベルを判定し、給送パルスを検出したときに給送検出信号を出力する。給送パルスカウント回路４７には給送検出信号が入力され、給送パルスのカウントが行われる。給送パルスカウント回路４７のカウント値が２になると、制御部４９はモータドライバ５３に減速駆動信号、駆動停止信号を順次出力し、給送モータ１６を停止させる。これらの動作が終了すると、カメラ２は撮影待機状態となる。
【００２８】
シャッタボタン８の操作によってシャッタ駆動レバー３３が駆動され、シャッタレリーズが行われる。シャッタ駆動レバー３３はチャージ解除位置に移動して、チャージ検出スイッチ５２がオンされる。制御部４９はモータドライバ５３に正転駆動信号を送り、給送モータ１６を駆動させる。給送モータ１６の正転駆動によって巻芯１５が駆動され、写真フイルム１４は巻戻し方向に給送されてコマ送り処理が開始される。給送モータ１６の正転駆動によってスプロケット１８、連動カム４０、チャージカム３９が回転する。連動カム４０の回転によって、カウンタ円板２０のカウンタ歯が送られて、表示される目盛りが１つ分カウントダウンされる。チャージカム３９の回転により、シャッタ駆動レバー３３はシャッタチャージ位置にセットされる。
【００２９】
制御部４９は監視パルス出力回路４６を作動させ、給送検出回路４５に２ミリ秒間隔の監視パルスが入力される。また、制御部４９はタイマー回路５０を作動させ、１０秒間のタイムカウントが行われる。給送検出回路４５は、入力された監視パルスに基づいて給送信号のレベル判定を行い、給送信号のレベル変化を検出する。写真フイルム１４が１コマ分給送されるとスプロケット１８が１回転するので、給送パルスが１つ検出されるとともにシャッタチャージが完了している。給送パルスが検出されると、制御部４９はタイマー回路５０をリセット・停止させる。また、モータドライバ５３に駆動停止信号を送り、フイルム給送が停止される。これらの動作が終了すると、カメラ２は撮影待機状態となり、以下、フイルムを使い切るまで同様の処理が繰り返される。
【００３０】
やがて、カウンタ表示窓９から残りの撮影回数ゼロが表示されるとき、カウンタ円板２０の裏面に形成されたロック溝２０ａは、給送検出スイッチ４１をロックする。すると、シャッタチャージが解除されたときに給送モータ１６の正転駆動が開始されても給送パルスが検出されず、タイマー回路５０によりカウントされる１０秒間、写真フイルム１４がパトローネ１３内に巻戻され続ける。この１０秒間で、巻取りスプール１２に引っ掛けられたフイルム先端までパトローネ１３内に巻き込まれ、リワインド処理が行われる。以上のようにして、カメラ２では、フイルム装填後のプレワインド処理、ファーストフレームセット、１コマ送り処理、リワインド処理が行われる。
【００３１】
図７において、給送パルスを検出する際、写真フイルム１４をパトローネ１３から引き出す方向に給送するプレワインド処理時では、給送信号のレベル判定を行うための監視パルスが３０ミリ秒間隔で出力され、写真フイルム１４をパトローネ１３内に巻戻す方向に給送する１コマ送り処理時では、監視パルスが２ミリ秒間隔で出力される。給送検出回路４５では、監視パルスが出力されたときに給送信号のレベルを判定する演算処理が行われるが、監視パルスの出力間隔が長いプレワインド時には給送信号の検出感度が鈍くなり、監視パルスの出力間隔が短い１コマ送り時には給送信号の検出感度が鋭くなる。
【００３２】
写真フイルム１４がパトローネ１３から全て引き出され、巻取りスプール１２と巻芯１５との間で写真フイルム１４が突っ張られたとき、給送モータ１６には過大な負荷がかかり、これによって振動が発生する。給送検出スイッチ４１が僅かに接触した状態又は僅かに離れた状態のときに、連動カム４０の回転が停止されたときには、モータの振動がスプロケット１８や連動カム４０に伝わり、給送検出スイッチ４１が小刻みにオン・オフしてチャタリングに似たノイズパルスが出力される。本実施形態では、プレワインド時に給送信号を３０ミリ秒間隔で監視するため、ノイズパルスを給送信号のレベル変化として検知する確率が小さくなる。一方、１コマ送り時には、給送信号を２ミリ秒間隔で監視することで、１コマ分のフイルム給送を精度よく行うことができる。
【００３３】
【発明の効果】
以上のように、本発明のカメラによれば、パトローネから引き出す方向にフイルム給送を行うときに給送パルスを監視する間隔が、パトローネ内に巻戻す方向へフイルム給送を行うときの監視間隔よりも長く設定されるから、パトローネの巻芯とカメラ側の巻取りスプールとの間でフイルムが突っ張られても、フイルム終端を適切に検知することができる。また、モータに過大な負荷がかかるときに生じる電源供給電圧の低下が抑えられ、カメラの動作不良を防止する効果が得られる。
【図面の簡単な説明】
【図１】カメラの外観斜視図である。
【図２】フイルム給送機構を示す斜視図である。
【図３】給送ギア列の平面図である。
【図４】フイルム給送の検出機構を示す斜視図である。
【図５】カメラの主要な電気的構成を示すブロック図である。
【図６】カメラの動作の流れを示すフローチャートである。
【図７】給送信号と監視パルスのタイミングチャートである。
【符号の説明】
２  カメラ
８  シャッタボタン
９  カウンタ表示窓
１２  巻取りスプール
１３  パトローネ
１４  写真フイルム
１５  巻芯
１６  給送モータ
１７  給送ギア列
１８  スプロケット
１９  パーフォレーション
２０  カウンタ円板
３３  シャッタ駆動レバー
３９  チャージカム
４０  連動カム
４１  給送検出スイッチ
４２  受け部材
【図１】
2004302003.tif 000003
【図２】
2004302003.tif 000004
【図３】
2004302003.tif 000005
【図４】
2004302003.tif 000006
【図５】
2004302003.tif 000007
【図６】
2004302003.tif 000008
【図７】
2004302003.tif 000009